(57)【要約】【課題】光ディスク装置において、ハードウエア上のコストアップなどを抑えつつ、スライダに付着した塵埃除去の向上を図る。【解決手段】対物レンズ１２が搭載されたスライダ１１と、サスペンション１４と、アンロードモータ１６と、スピンドル２と、光ディスク３０へのアクセスを制御するためのコントローラ４とを備えた、光ディスク装置Ｐ１であって、コントローラ４は、光ディスク３０へのアクセスの前または後における光ディスク３０の回転中に、アンロードモータ１６により、スライダ１１および光ディスク３０の接近と離反とを行なわせるように構成されている。【選択図】  図１
2004280873.tif 000002
【特許請求の範囲】
【請求項１】
対物レンズが搭載されたスライダと、上記スライダおよび光ディスクを相対的に接近および離反させる駆動手段と、上記光ディスクへのアクセスを制御するための制御手段とを備えた、光ディスク装置であって、
上記制御手段は、上記光ディスクへのアクセスの前または後における上記光ディスクの回転中に、上記駆動手段により、上記スライダおよび上記光ディスクの接近と離反とを行なわせる制御を実行するように構成されていることを特徴とする、光ディスク装置。
【請求項２】
上記制御手段は、上記接近および離反を行なわせつつ、上記光ディスクの回転速度を増速または減速させる制御を実行するように構成されている、請求項１に記載の光ディスク装置。
【請求項３】
上記駆動手段は、上記スライダをロードおよびアンロードさせるために上記スライダを上記光ディスクと対向する方向に往復動させる機構、または上記光ディスクを上記スライダと対向する方向に往復動させる機構である、請求項１または２に記載の光ディスク装置。
【発明の詳細な説明】
【０００１】
【発明の属する技術分野】
本願発明は、光ディスク装置のスライダの塵埃を除去するための技術に関する。
【０００２】
【従来の技術】
ＣＤプレーヤやＤＶＤプレーヤおよび光磁気ディスクドライブなどに代表される光ディスク装置においては、光ディスクへのリードおよびライトアクセスは、光学ヘッドを用いて行われる。この光学ヘッドは、レーザ光源から進行してきたレーザ光を集束させることにより光ディスクの記録面上にレーザスポットを形成する対物レンズを備えている。この対物レンズには、塵埃が付着する虞れがあり、この対物レンズが汚れると、光学ヘッドのアクセス性能が悪化する。
【０００３】
そこで、光ディスク装置内における対物レンズの塵埃除去を目的として、リードおよびライトアクセスを開始する前に、ディスクの回転速度を通常再生時の回転速度（以下、常用回転速度）よりも上昇させ、高速回転時の風圧により塵埃を吹き飛ばす方法がある（たとえば、特許文献１参照。）。
【０００４】
【特許文献１】
特開昭６２−２４４４８号公報
【０００５】
【発明が解決しようとする課題】
しかしながら、近年は光ディスクの大容量化がますます要望されており、それに伴い、記録面の高密度化が進められているために、光ディスクや対物レンズに付着した塵埃がリードおよびライトアクセスに及ぼす影響が増大している。特に、浮上式のスライダを用いて構成されている光ディスク装置においては、スライダが記録面から数百ｎｍから数μｍ程度の非常に微小な隙間を隔てて浮上しながら、高速回転する光ディスクへのアクセスが行なわれる。これにあわせて、スライダの小型化がなされており、塵埃に起因する機器損傷やデータ破壊などの不測の事態が発生する可能性が高く、さらなる塵埃対策が必要とされる。かかる要請に対して、上述した従来技術のように、高い風圧を生じさせることのみでは、上記懸念の要因となる塵埃を適切に除去することが困難な場合があった。また、上述した従来技術においては、常用回転速度を超過してまで光ディスクを高速回転させるので、ディスク回転用として高速回転仕様のモータを採用しなければならない。そのため、コストアップを招き、さらにモータの耐久性、発熱、消費電力などの点においても不利であった。
【０００６】
本願発明は、上記した事情のもとで考え出されたものであって、コストアップなどの不具合を抑制しつつ、スライダの塵埃を適切に除去することが可能な光ディスク装置を提供すること、をその課題とする。
【０００７】
【発明の開示】
上記課題を解決するため、本願発明では、次の技術的手段を講じている。
【０００８】
本願発明によって提供される光ディスク装置は、対物レンズが搭載されたスライダと、上記スライダおよび光ディスクを相対的に接近および離反させる駆動手段と、上記光ディスクへのアクセスを制御するための制御手段とを備えた、光ディスク装置であって、上記制御手段は、上記光ディスクへのアクセスの前または後における上記光ディスクの回転中に、上記駆動手段により、上記スライダおよび上記光ディスクの接近と離反とを行なわせる制御を実行するように構成されていることを特徴としている。
【０００９】
上記構成によれば、スライダと光ディスクとの接近および離反に伴って、光ディスクの回転により生じるスライダ表面の空気流の風速が変化し、スライダに付着した塵埃に負荷される風圧が大きく変動する。そのために、高い風圧を負荷されることのみでは、除去されることが困難な塵埃などを適切に除去することが可能である。また、常用回転速度を超過してまで光ディスクを高速回転させる必要がないため、通常仕様のモータを採用可能であり、高速回転仕様のモータを採用していた従来技術と比較すると、コストアップを抑制することができる。さらに、モータの耐久性、発熱、消費電力などの点においても、不利を生じないようにすることができる。
【００１０】
本願発明の好ましい実施の形態においては、上記制御手段は、上記接近および離反を行なわせつつ、上記光ディスクの回転速度を増速または減速させる制御を実行するように構成されている。
【００１１】
上記構成によれば、上記スライダ表面の風速の最大値と最小値との差を大きくすることが可能であり、塵埃に負荷される風圧は、さらに大きく変動する。そのために、塵埃除去をさらに向上させることができる。
【００１２】
本願発明の好ましい実施の形態においては、上記駆動手段は、上記スライダをロードおよびアンロードさせるために上記スライダを上記光ディスクと対向する方向に往復動させる機構、または上記光ディスクを上記スライダと対向する方向に往復動させる機構である。
【００１３】
上記構成によれば、ロードおよびアンロードを行なうためにスライダを駆動する機構や、回転している光ディスクを安定させるために、その回転軸方向に変位させることが可能な駆動機構など、光ディスク装置に通常備えられている機構を用いて、本願発明が意図する動作を行なわせることが可能である。そのために、スライダと光ディスクとを接近および離反させるための専用の機構を設ける必要がなく、コストアップを抑制することができる。
【００１４】
本願発明のその他の特徴および利点は、添付図面を参照して以下に行なう詳細な説明によって、より明らかとなろう。
【００１５】
【発明の実施の形態】
以下、本願発明の好ましい実施の形態につき、図面を参照して具体的に説明する。
【００１６】
図１は、本願発明に係る光ディスク装置の一実施形態を示している。光ディスク装置Ｐ１は、キャリッジ１、スピンドル２、光学ユニット３、およびコントローラ４を備えている。キャリッジ１は、スライダ１１を支持するサスペンション１４、アンロードバー１５、アンロードモータ１６、立ち上げミラー１３を搭載しており、光ディスク３０の下方においてその半径方向に移動可能とされている。
【００１７】
スピンドル２は、装填部Ｌに装填された光ディスク３０を保持し、かつモータ２３の駆動力により光ディスク３０を回転させるためのものである。スピンドルドライバ２１は、モータ２３の動作を制御するためのものである。
【００１８】
光学ユニット３は、レーザ光源、および光を成形するプリズムなどの発光系と、光ディスクから戻ってくる光を分光するビームスプリッタ、戻り光を感知するディテクタ、およびディテクタに光を集光するレンズなどの受光系とを備えている（いずれも図示略）。光学ユニット３から出射されたレーザ光１７はキャリッジ１の立ち上げミラー１３によって、光ディスク３０へと方向を変えられる。レーザ光１７は、スライダ１１に搭載された対物レンズ１２を通過して、光ディスク３０の記録面３０ａに照射される。対物レンズ１２は、それに入射してきたレーザ光１７を集束させ、記録面３０ａにレーザスポットを形成するためのものである。
【００１９】
スライダ１１は、光ディスク３０が高速回転することにより発生した空気流がスライダ１１と光ディスク３０との間に流入する、いわゆるくさび効果により、記録面３０ａに対して一定の微小間隔を隔てて浮上可能である。スライダ１１がロードされて光ディスク３０へのアクセスがなされるときには、スライダ１１はこのような状態（以下、安定浮上状態）に維持されて用いられる。非アクセス待機時においては、アンロードモータ１６の駆動力によってアンロードバー１５を動作させ、アンロードバー１５によってサスペンション１４を下降させることにより、スライダ１１を光ディスク３０から離反させたアンロード状態に設定可能である。
【００２０】
ロードモータドライバ２２は、上記ロードおよびアンロードの実行において、アンロードモータ１６の動作を制御するためのものである。
【００２１】
コントローラ４は、この光ディスク装置Ｐ１の各部の動作制御や信号処理を実行するものであって、たとえばＣＰＵやこれに付属するメモリを備えて構成されており、光学ユニット３、スピンドルドライバ２１、およびロードモータドライバ２２などに接続されている。後述するように、このコントローラ４によって、スライダ１１に付着した塵埃の適切な除去を目的として、光ディスク３０へのアクセスが行なわれる前または後に、アンロードモータ１６およびモータ２３の制御が実行される。
【００２２】
次に、光ディスク装置Ｐ１の作用について説明する。
【００２３】
装填部Ｌに光ディスク３０が装填されると、コントローラ４は、光ディスク３０の回転を開始させる。次いで、コントローラ４は、スライダ１１の１回目のロードおよびアンロードを実行させた後に、２回目のロードを実行させ、その後、光ディスク３０へのアクセスを開始させる。
【００２４】
図２は、その際のスライダ１１の表面の風速の変化を示す説明図である。まず、スライダ１１がアンロード状態にある時刻Ｔ１０においてスピンドル２により光ディスク３０の回転が開始されると、その後時刻Ｔ１１において常用回転速度Ｒｎｏｒに達する。そして、その後の時刻Ｔ１２においてスライダ１１の１回目のロードが開始される。スライダ１１は、その後の時刻Ｔ１３において最接近点に到達した後に、光ディスク３０から若干離反し、時刻Ｔ１４において安定浮上状態に維持される。
【００２５】
上記ロードにおいて、記録面３０ａとスライダ１１との隙間には、光ディスク３０が高速回転することに伴う空気流が流入し、スライダ１１上に付着した塵埃には、スライダ１１の表面の風速に応じた風圧が作用することとなる。この風速は、光ディスク３０の回転速度が速いほど、または上記隙間が小さいほど、速くなる。よって上記ロードにおいては、スライダ１１が最接近点に到達した時刻Ｔ１３に、スライダ１１の表面に最大風速Ｖｍａｘが生じ、スライダ１１に付着した塵埃に最も大きな風圧が作用する。この風圧により、スライダ１１に付着した塵埃の一部が吹き飛ばされて除去されることが期待される。
【００２６】
しかし、塵埃のサイズや付着の程度によっては、最大風速Ｖｍａｘによる風圧が作用しただけでは、除去されない可能性がある。このような塵埃は、高密度化された記録面３０ａへのリードおよびライトアクセスに影響を及ぼす虞れがある。これに対し、本実施形態においては、以下の作用が得られる。
【００２７】
上記１回目のロード完了後の時刻Ｔ１５において、アンロードが開始される。このアンロードにより、スライダ１１と光ディスク３０との隙間が広げられるために、アンロードが完了した時刻Ｔ１６においてはスライダ１１の表面の風速がＶ１０に減速され、スライダ１１に付着した塵埃への風圧が一旦低下する。そして、時刻Ｔ１７において再びロードが開始され、スライダ１１は時刻Ｔ１８において最接近点を経由して、その後の時刻Ｔ１９において再び安定浮上状態に維持される。この過程において、スライダ１１に付着した塵埃には、最大風速Ｖｍａｘによる風圧が再び作用する。コントローラ４は、この２回目のロードが完了した後の時刻Ｔ１Ｓにおいて、光ディスク３０のリードおよびライトアクセスを開始させる。
【００２８】
このように、本実施形態によれば、アクセス開始前にスライダ１１のロードおよびアンロードが繰り返し実行されるために、スライダ１１の表面の風速は、増速された後に減速され、かつ再び増速される。したがって、スライダ１１に付着した塵埃には、最大風速Ｖｍａｘによる風圧の負荷、その解放および、再度の負荷がなされる。その結果、１回目のロード時に除去されることなくスライダ１１に残存した塵埃が、上記したように急激に変化する風速により吹き飛ばされて除去されることが期待できる。モータ２３は、常用回転速度を超えて回転させる必要が無いために、このモータ２３としては高速回転仕様のものを用いる必要がない。したがって、コストアップを抑制し、モータの耐久性、発熱、消費電力などの点において不利を生じないようにすることができる。さらに、浮上式のスライダを有する光ディスク装置に一般的に備えられるアンロードモータ１６が、スライダ１１と光ディスク３０とを接近および離反させるための駆動手段として活用されている。そのために、専用の駆動手段を追加する必要がなく、コストアップの抑制に有利である。
【００２９】
図３ないし図５は、本願発明に係る光ディスク装置の他の実施形態における、スライダ表面の風速の変化を示している。これらの実施形態における光ディスク装置は、光ディスク装置Ｐ１と同様の要素により構成されており、コントローラ４による制御の内容が上記実施形態と異なるものである。それぞれの例について、以下に述べる。
【００３０】
図３に示す実施形態においては、時刻Ｔ２０からＴ２７’にかけて光ディスク３０の回転速度が増速されている間に、１回目のロード、アンロード、および２回目のロードが実行される点が、上記実施形態と異なっている。本実施形態によれば、アンロードが完了した時刻Ｔ２５の風速Ｖ２２は、光ディスク３０の回転速度が一定に保たれた後にロードおよびアンロードを実行させていた上述の実施形態における風速Ｖ１０に比べて低く抑えられる。そのため、スライダ１１の表面における風速の最大値と最小値との差をさらに大きくすることが可能であり、塵埃に作用する風圧がより大きく変動する。よって、さらに多くの塵埃が除去されることが期待できる。
【００３１】
図４に示す実施形態においては、光ディスク３０の回転速度が常用回転速度Ｒｎｏｒに達した後に、１回目のロードが実行され、かつその後のアンロードが実行されるときに、光ディスク３０の回転速度がＲ３０に減速されている。そして、２回目のロードが実行されるときに、光ディスク３０の回転速度がＲｎｏｒに再び増速されるようになっており、これらの点が上記実施形態とは異なっている。本実施形態によれば、スライダ１１が最接近点に到達した時刻Ｔ３１およびＴ３６には、最大風速Ｖｍａｘの空気流を生じさせることができる。その一方において、アンロードが完了した時刻Ｔ３４の風速Ｖ３０は、図３に示した実施形態における風速Ｖ２２と比較してさらに低いものとなる。よって、スライダ１１に付着した塵埃に負荷される風圧の変動はさらに大きいものとなり、塵埃の除去効果が一層高められる。
【００３２】
図５に示す実施形態においては、光ディスク３０へのリードおよびライトアクセスが終了した後に、アンロードおよびロードが実行される点が、上記実施形態とは異なっている。具体的には、時刻Ｔ４Ｆにおいて光ディスク３０へのアクセスが終了すると、その後の時刻Ｔ４０からＴ４６にかけて１回目のアンロード、ロード、および２回目のアンロードが実行される。このような構成によっても、スライダ１１の表面の風速に急激な変化を与えることができ、上述したのと同様な作用により、スライダ１１から塵埃を適切に除去することができる。リードおよびライトアクセスの終了時に塵埃除去を行なえば、次のリードおよびライトアクセス開始時に塵埃の除去作業を行なう必要はない。但し、本願発明においては、リードおよびライトアクセスの前と後との双方の時期に、上記ロードおよびアンロードを繰り返し実行させる構成としても構わない。
【００３３】
図６は本願発明に係る光ディスク装置の他の実施形態を示している。本図面においては、上記実施形態と同一または類似の要素には、上記実施形態と同一の符号を付している。光ディスク装置Ｐ２は、光ディスク装置Ｐ１の構成要素に加えて、スピンドル２に保持された光ディスク３０を、スライダ１１に相対させて昇降自在とする昇降機構２４を備えている。本実施形態においては、光ディスク３０の回転が開始され、常用速度Ｒｎｏｒに達すると、コントローラ４は昇降機構２４により光ディスク３０を昇降動作させ、アンロード状態にあるスライダ１１に対して、光ディスク３０の接近および離反を繰り返して行なわせる。その後に、スライダ１１がロードされて、光ディスク３０へのリードおよびライトアクセスが開始される。
【００３４】
このような実施形態によっても、上述した実施形態と同様に、スライダに付着した塵埃に変動を伴った風圧を作用させることが可能であり、塵埃を適切に除去することができる。また、光ディスクを昇降自在とする機構は、たとえばカートリッジ収容タイプの光ディスクに適用する光ディスク装置においては、光ディスクを安定させるために一般的にもともと備えられている。したがって、このようなタイプの光ディスク装置においては、上記機構を用いて、上記の接近および離反の動作を実行することが可能である。よって、専用の機構を追加する必要がなく、コストアップを抑制することができる。
【００３５】
本願発明の範囲は上述した実施の形態に限定されるものではない。
【００３６】
上記実施形態においては、１回のアンロードを挟んだ２回のロード、または１回のロードを挟んだ２回のアンロードを実行しているが、本願発明はこれに限らない。上記ロードおよびアンロードは、上記よりも多い回数繰り返して実行してもよく、さらに多くの塵埃を除去する効果が期待できる。
【００３７】
光ディスク装置としては、たとえば、ＣＤプレーヤやＤＶＤプレーヤおよび光磁気ディスクドライブなどがある。さらにこれらに限らず、本願発明は、記録面に対物レンズを搭載したスライダを接近させてアクセスが行なわれる構成とされている光ディスク装置全般に、広く適用することが可能である。光磁気ディスクドライブのスライダとしては、磁気コイルを搭載した構成とすることもできる。
【００３８】
【発明の効果】
以上の説明から理解されるように、本願発明に係る光ディスク装置によれば、スライダを光ディスクと接触させることなく、スライダの表面の風速に急激かつ大きな変動を与えることにより、スライダに付着した塵埃を適切に除去することができる。したがって、光ディスク装置の信頼性を向上させることができる。また、通常仕様のモータによる構成が可能であるために、コストアップを抑制し、モータの耐久性、発熱、消費電力などの点においても、不利を生じないようにすることができる。
【図面の簡単な説明】
【図１】本願発明に係る光ディスク装置の一例を示す概略説明図である。
【図２】本願発明に係る光ディスク装置の一例におけるスライダ表面の風速の変化を示す説明図である。
【図３】本願発明に係る光ディスク装置の他の例におけるスライダ表面の風速の変化を示す説明図である。
【図４】本願発明に係る光ディスク装置の他の例におけるスライダ表面の風速の変化を示す説明図である。
【図５】本願発明に係る光ディスク装置の他の例におけるスライダ表面の風速の変化を示す説明図である。
【図６】本願発明に係る光ディスク装置の他の例を示す概略説明図である。
【符号の説明】
Ｐ１，Ｐ２    光ディスク装置
１    キャリッジ
２    スピンドル
３    光学ユニット
４    コントローラ（制御手段）
１１    スライダ
１２    対物レンズ
１４    サスペンション
１５    アンロードバー
１６    アンロードモータ（駆動手段）
３０    光ディスク
【図１】
2004280873.tif 000003
【図２】
2004280873.tif 000004
【図３】
2004280873.tif 000005
【図４】
2004280873.tif 000006
【図５】
2004280873.tif 000007
【図６】
2004280873.tif 000008